(57)【要約】【課題】煩雑な手間を要することなく、簡易な操作性をもって、誤送信防止効果を享受する。【解決手段】宛先確定キー５７の入力操作後に、アドレス情報記憶部７１に記憶された全ての宛先に係るアドレス情報について印字出力を行い、前記印字出力が終了してはじめて、前記指示された宛先に係るアドレス情報に対する送信実行指示キーの入力操作を許可する制御を行う。これにより、宛先確定キーの入力操作後さらに送信実行指示キーを操作しなければ送信が始まらず、誤送信の危険性を回避できる。【選択図】  図３
2010109751.tif 000002
【特許請求の範囲】
【請求項１】
ユーザによって指示された宛先に係るアドレス情報が記憶されるアドレス情報記憶手段と、
前記指示された宛先に係るアドレス情報をもって、送信宛先として確定する宛先確定キーと、
前記確定した宛先アドレス情報に対して、送信実行を指示する送信実行指示キーと、  
前記宛先確定キーの入力操作後に、宛先に係るアドレス情報を含む各種情報を記録紙上に印字出力する宛先情報印字手段と、
前記印字出力が終了したとき、前記送信実行指示キーの入力操作を許可する制御手段と、前記送信実行指示キーが入力操作されたとき前記アドレス情報記憶手段に記憶された宛先アドレスに対して送信を実行する送信手段と、
を備えて構成されることを特徴とするデータ通信装置。
【請求項２】
前記宛先確定キーは、前記送信実行指示キーとして併用されるものである、
請求項１に記載のデータ通信装置。
【請求項３】
画像データ読取手段を備え、
前記送信手段は前記画像データ読取手段によって読取った画像データを前記指示された宛先に対して送信する、
請求項１および２に記載のデータ通信装置。
【発明の詳細な説明】
【技術分野】
【０００１】
本発明は、誤送信防止機能を有するデータ通信装置に係り、特に、煩雑な手間を要することなく、簡易な操作性をもって、誤送信防止効果を享受可能なデータ通信装置に関する。
【背景技術】
【０００２】
従来、コピー、ファクシミリ、スキャナ、並びにプリンタ等の諸機能を併せ持つ、いわゆるＭＦＰ（Multi Function Peripheral）とも呼ばれる画像形成装置が普及している。
かかるＭＦＰのうち、ファクシミリ通信機能やメール通信機能を有するものでは、各種文書データ等が外部のデータ通信装置との間で通信されるが、こうしたデータ通信においては、機密保持等の観点から、誤送信を防止することがきわめて重要な課題となっている。
そうした観点から、新たな画像を送信するために宛先を入力すると、画像形成装置内に保持されている宛先情報を照合して一致するものがあればそのサムネール画像と属性情報とを読み出して表示し、使用者はここに表示された情報を見て宛先が誤りであると気づけば送信操作をキャンセルさせるようにした誤送信防止技術が提案されている（特許文献１参照）。
しかしながら、特許文献１に係る従来技術では、誤送信防止効果を享受するために、宛先情報に関連付けて、そのサムネール画像と属性情報とを予め登録しておく必要があるため、その登録に係る手間が煩雑であった。
【特許文献１】特開２００５−２３６６８９号公報
【発明の開示】
【発明が解決しようとする課題】
【０００３】
解決しようとする問題点は、従来技術では、誤送信防止効果を享受するための手間が煩雑であった点である。
【課題を解決するための手段】
【０００４】
本発明は、煩雑な手間を要することなく、簡易な操作性をもって、誤送信防止効果を享受することが可能なデータ通信装置を提供することを目的として、ユーザによって指示された宛先に係るアドレス情報が記憶されるアドレス情報記憶手段と、前記指示された宛先に係るアドレス情報をもって、送信宛先として確定する宛先確定キーと、前記確定した宛先アドレス情報に対して、送信実行を指示する送信実行指示キーと、前記宛先確定キーの入力操作後に、宛先に係るアドレス情報を含む各種情報を記録紙上に印字出力する宛先情報印字手段と、前記印字出力が終了したとき、前記送信実行指示キーの入力操作を許可する制御手段と、前記送信実行指示キーが入力操作されたとき前記アドレス情報記憶手段に記憶された宛先アドレスに対して送信を実行する送信手段と、を備えて構成されることを最も主要な特徴とする。
【発明の効果】
【０００５】
本発明に係るデータ通信装置では、宛先確定キーの入力操作後に、前記アドレス情報記憶手段に記憶された全ての宛先に係るアドレス情報について、記録紙への印字出力処理を行い、印字出力処理が終了したとき、送信実行指示キーの入力操作を許可するので、これによって、宛先指定キーがユーザによって既に入力操作された後であっても、宛先アドレス情報の印字出力が終了しない限り、送信実行キーの入力操作は許可されない。従って、ユーザは、全ての宛先候補のアドレス情報を印字した出力物を確認してから送信を実行することができる。表示部で表示するよりも紙に印字した方が多くの情報が一の面に表示されるため、多くのアドレス情報を一目で確認することが可能となり、煩雑な手間を要することなく、簡易な操作性をもって、誤送信防止効果を享受することができる。
【発明を実施するための最良の形態】
【０００６】
煩雑な手間を要することなく、簡易な操作性をもって、誤送信防止効果を享受するといった目的を、宛先確定キーの入力操作後に、前記アドレス情報記憶手段に記憶された全ての宛先に係るアドレス情報について、記録紙への印字出力処理を行い、印字出力処理が終了したとき、送信実行指示キーの入力操作を許可する構成によって実現した。
【実施例】
【０００７】
以下、本発明に係るデータ通信装置について、図面を参照しつつ詳細に説明する。なお、以下において、本発明に係るデータ通信装置の一例として、データ通信装置を、画像形成装置に組み込み搭載し、所要の宛先指定に適用した例をあげて説明してゆく。
【０００８】
［データ通信装置が搭載された画像形成装置］
図１は、本発明に係るデータ通信装置が搭載された画像形成装置の概略ブロック図を示す。
本画像形成装置１０は、印刷出力、ファックス送信、メール送信、及びデータ送信機能が利用可能であり、マイクロコンピュータ及び専用のハードウェア回路等から構成される主制御部１１によって制御される。この主制御部１１に接続され諸機能を担う入出力機器として、本装置１０は、スキャナ部２１、画像処理部３１、エンジン部４１、操作パネル部５１、ファクシミリ通信部６１、ＨＤＤ（ハードディスクドライブ）６３、並びにネットワークインターフェイス（以下、「インターフェイス」を「Ｉ／Ｆ」と省略する。）部６５を備える。
主制御部１１は、スキャナ機能を実現するための動作制御を行うスキャナコントローラ１３と、ファクシミリ機能を実現するための動作制御を行うファクシミリコントローラ１５、プリンタ機能を実現するための動作制御を行うプリンタコントローラ１７、並びに、コピー機能を実現するための動作制御を行うコピーコントローラ１９を内蔵し、本装置全体の動作を統括制御する。
スキャナ部２１は、図示しないスキャナを構成する画像照射ランプ２３及びＣＣＤ（電荷結合素子：Charge Coupled Device）センサ２５を含む。スキャナ部２１は、画像照射
ランプ２３により原稿を照射し、その反射光をＣＣＤセンサ２５で受光することにより、原稿から画像を読み取り、読み取った画像に対応する画像データを画像処理部３１へ出力する。
画像処理部３１は、補正部３３、画像加工部３５及び画像メモリ３７を含む。画像処理部３１は、スキャナ部２１で読み取られた画像データを必要に応じて補正部３３及び画像加工部３５により処理し、処理された画像データを画像メモリ３７に記憶したり、エンジン部４１、ファクシミリ通信部６１等へ出力する。補正部３３は、スキャナ部２１で読み取られた画像データに対してレベル補正、ガンマ補正等の所定の補正処理を行う。画像加工部３５は、画像データの圧縮又は伸張処理、及び拡大又は縮小処理等の種々の加工処理を行う。
【０００９】
エンジン部４１は、図示しない給紙カセットや給紙ローラ等から構成される用紙搬送部４３、図示しない感光体ドラム、露光装置、現像装置等から構成される画像形成部４５、図示しない転写ローラ等から構成される転写部４７、及び図示しない定着ローラ等から構成される定着部４９を含む。エンジン部４１は、スキャナ部２１で読み取られた画像データ、ネットワークＩ／Ｆ部６５を介してＬＡＮ（Local Area Network）によりクライアントＰＣ（パーソナルコンピュータ）等から送信された画像データ、ファクシミリ通信部６１を用いて外部のファクシミリ装置等から受信したファクスデータ等の画像データを用いて画像を用紙に印刷する。具体的には、用紙搬送部４３は用紙を画像形成部４５へ搬送し、画像形成部４５は上記の画像データに対応するトナー像を形成し、転写部４７はトナー像を用紙に転写し、定着部４９はトナー像を用紙に定着させて画像を形成する。また、エンジン部４１は本願発明における宛先情報印字手段に相当する。
操作パネル部５１は、タッチパネル部５３及び操作キー部５５を含む。操作パネル部５１は、ユーザがスキャナ機能、ファクシミリ機能、プリンタ機能、コピー機能等に関する操作を行うために使用され、ユーザによる操作指令等を主制御部１１に与える。
タッチパネル部５３は、タッチパネルとカラーＬＣＤ（Liquid Crystal Display）とを組み合わせたタッチパネルユニット等から構成され、種々の操作画面、例えば、コピー機能実行時には、原稿サイズ、コピーサイズ、複写部数等に関する情報を表示するとともに、ユーザが該当部分をタッチすることにより種々の操作指令を入力するための操作ボタン類を表示する。
図２に示すように、操作キー部５５は、ユーザの操作入力を受付けるための複数の操作キーを備えており、例えば、コピー機能、プリンタ機能、スキャナ機能、ファクシミリ機能など諸機能のなかから、所要機能のキー入力操作をユーザが選択的に実行する際に、又は、ユーザが複写部数やコピー実行指令などを操作入力する際に用いられる。なお、操作キー部５５には、所要のジョブ遂行に係る指示を行う際に用いられるスタートキー５７が備えられており、このスタートキー５７は、本発明実施例において、宛先確定キーおよび送信実行指示キーとしての役割を果たす。
図１にもどって、ファクシミリ通信部６１は、符号化／復号化部（図示省略）、変復調部（図示省略）及びＮＣＵ（Network Control Unit）（図示省略）を含む。ファクシミリ通信部６１は、スキャナ部２１によって読み取られた原稿の画像データを電話回線を介してファクシミリ装置等へ送信したり、ファクシミリ装置等から送信された画像データを受信する。
ＨＤＤ（ハードディスクドライブ）６３は、スキャナ部２１によって読み取られた画像データ及び同画像データに設定されている出力形式等の種々のデータ等を記憶する。ＨＤＤに記憶されている画像データは、画像形成装置、プログラム及び記録媒体内部で使用されるだけでなく、必要に応じて、ネットワークＩ／Ｆ部６５を介してクライアントＰＣ等から確認したり、クライアントＰＣやＦＴＰサーバ等の所定のフォルダへ転送される。
ネットワークＩ／Ｆ部６５は、ネットワークインタフェース（１０／１００Ｂａｓｅ−ＴＸ）等を用い、ネットワークを介して接続されたクライアントＰＣ等に対する種々のデータの送受信を制御する。具体的には、ネットワークＩ／Ｆ部６５は、T.37勧告に準拠したものであり、例えば公衆回線網６７に接続されている。そして、ネットワークＩ／Ｆ部６５は、公衆回線網６７を介して、外部の通信装置６９にも接続されている。
煩雑な手間を要することなく、簡易な操作性をもって、誤送信防止効果を享受可能とするために、主制御部１１は、ユーザによって指示された宛先に係るアドレス情報（宛先に係る電話番号、Fax番号、メールアドレス、ＩＰアドレス等のあらゆる情報を含む。以下、同じ。）が記憶されるアドレス情報記憶部（本発明の「アドレス情報記憶手段」に相当する。）７１と、スタートキー５７の入力操作がユーザによってなされたとき、全ての指示宛先に係るアドレス情報をアドレス情報記憶部７１から取得するアドレス情報取得部７３と、を含んで構成され、スタートキー５７の入力操作後に、アドレス情報取得部７３で取得した全ての宛先に係るアドレス情報について、記録紙に印字出力し、前記印字出力が終了したとき、前記指示された宛先に係るアドレス情報に対して送信を実行する。
［データ通信装置が搭載された画像形成装置の動作］
図３は、本発明に係るデータ通信装置が搭載された画像形成装置の、宛先指定に係る動作フローチャートを示す。
まず、ユーザは操作キー部５５を用いて操作入力するか、又は、アドレス帳から選択入力することによって、所要の宛先を指定する。指定された宛先アドレス情報はアドレス情報記憶部７１に記憶される。ユーザがスタートキー（本発明の「宛先確定キー」に相当する。）５７を押下すると（ステップＳ１１）、以下において、記憶された宛先アドレス情報が確認のため印字出力される。
すなわち、主制御部１１は、アドレス情報取得部７３がアドレス情報記憶部７１から宛先指定されたアドレス情報を取得し（ステップＳ１２）、画像処理部３１は取得したアドレス情報をもとに印字データを生成し、エンジン部４１により記録紙上に印字出力を実行する（ステップＳ１３）。
さて、主制御部１１は、アドレス情報記憶部７１に記憶された全ての指示宛先に係るアドレス情報について、エンジン部４１により印字出力が終了したかどうかについて判定する（ステップＳ１４）。
ステップＳ１４における判定の結果、全ての指示宛先に係るアドレス情報について、印字出力が終了した旨の判定が下されたとき、制御部１１は、ステップＳ１１で確定された宛先に係るアドレス情報に対する、送信実行指示であるスタートキーの入力操作を許可する（ステップＳ１５）。そして、ユーザによりスタートキー５７が押下された場合（ステップＳ１６でＹｅｓ）、主制御部１１はアドレス情報記憶部７１に記憶された全ての宛先アドレスに対して、ファクシミリ通信部６１、ネットワークＩ／Ｆ部６５を介して、ＦＡＸ送信、Ｅメール送信、またはクライアントＰＣやサーバへのデータ転送などの送信を実行する（ステップＳ１７）。これにより、スタートキー（宛先確定キー）５７がユーザによって入力操作された後、宛先情報の印字出力が終了しない限り、送信の実行指示は許可されない。従って、ユーザはスタートキーの押下後すぐに送信が実行されることなく、宛先確認のための印字物が出力されることになり、紙にて宛先一覧を確認することができる。紙に出力することにより、表示画面１画面よりも紙１枚に掲載できる情報量が多くなることから、ユーザにとって一目で宛先の確認が容易になり、煩雑な手間を要することなく、簡易な操作性をもって、誤送信防止効果を享受することができる。
【００１０】
本実施例においては、宛先情報印字制御部により印字出力される宛先情報としてアドレス情報をあげたが、宛先に係るアドレス情報の他に、相手先の名称、送信の種別（ＦＡＸ送信、Ｅメール送信などの別）、相手先の所属部署や所属会社の名称など、相手先情報として確認に用いられる情報であれば、他の情報をあわせて印字出力してもよい。
［実施例の効果］
本発明実施例に係るデータ通信装置によれば、宛先確定キー５７の入力操作後に、アドレス情報記憶部７１に記憶された全ての宛先に係るアドレス情報について印字出力を行い、前記印字出力が終了してはじめて、前記指示された宛先に係るアドレス情報に対する送信実行指示キーの入力操作を許可する制御を行うので、これによって、宛先指定キー５７がユーザによって既に入力操作された後であっても、宛先情報の印字出力後、有効化された送信実行指示キー５７が入力操作されるまではデータ送信が実行されない。従って、ユーザは、紙として出力された宛先情報を確認し宛先の誤りに気づいたときには、送信を実行せずに宛先を修正することが可能となり、煩雑な手間を要することなく、簡易な操作性をもって、誤送信防止効果を享受することができる。
［その他］
本発明は、上述した実施例に限られるものではなく、請求の範囲及び明細書全体から読み取れる発明の要旨、あるいは技術思想に反しない範囲で適宜変更可能であり、そのような変更を伴うデータ通信装置及び画像形成装置もまた、本発明における技術的範囲の射程に包含されるものである。
【図面の簡単な説明】
【００１１】
【図１】本発明に係るデータ通信装置が搭載された画像形成装置の概略ブロック図である。
【図２】本発明に係る画像形成装置の操作パネル部を表す外観図である。
【図３】本発明に係る画像形成装置の、宛先指定に係る動作フローチャート図である。
【符号の説明】
【００１２】
１０  データ通信装置を搭載した画像形成装置
１１  主制御部
４１  エンジン部（宛先情報印字手段）
５７  スタートキー（宛先確定キー、送信実行指示キー）
７１  アドレス情報記憶部（アドレス情報記憶手段）
７３  アドレス情報取得部
【図１】
2010109751.tif 000003
【図２】
2010109751.tif 000004
【図３】
2010109751.tif 000005